(57)【要約】【課題】本発明は、装置本体内に遮蔽状態で収容したファイバーの繰り出し可能量検知を行いファイバーの交換時期を術者が明確に把握できるレーザー装置を提供する。【解決手段】本発明は、レーザー装置本体２内にレーザー光の導光路とするファイバー１２を外部から遮蔽状態で収納するとともに、ファイバー１２をレーザー装置本体２から繰り出し式としたレーザー装置１であって、ファイバー１２が繰り出し可能な状況であるか否かを認識させるためのファイバー検知用の表示機能を有し、この表示機能を、レーザー装置本体２の壁面部に表示窓７を設け、レーザー装置本体２内のファイバー１２の繰り出し可能量が小となったときに表示窓７に赤色の着色表示２７ｂを表出させる構成としたものである。【選択図】図２
2016083016.tif 000002
【特許請求の範囲】
【請求項１】
レーザー装置本体内にレーザー光の導光路とするファイバーを外部から遮蔽状態で収納するとともに、前記ファイバーをレーザー装置本体から繰り出し式としたレーザー装置であって、
前記ファイバーが繰り出し可能な状況であるか否かを認識させるためのファイバー検知用の表示機能を有することを特徴とするレーザー装置。
【請求項２】
前記表示機能は、
レーザー装置本体内に回転可能に配置されるとともに、ファイバーの繰り出し可能量大を示す着色表示と、繰り出し可能量小を示す着色表示とを外周に付した回転ドラムと、
レーザー装置本体の壁面部に前記回転ドラムの外周に臨む配置で設けた着色表示視認用の表示窓と、
レーザー装置本体内に前記回転ドラムとともに回転変位可能に配置されるとともに、レーザー装置本体内のファイバーの繰り出し可能量が小となったときにファイバーが当接し、その当接力で前記回転ドラムを連動させつつ回転し、前記表示窓から視認される回転ドラムの外周の着色表示を繰り出し可能量大から繰り出し可能量小に転換させる検知レバーと、
を有する構成からなることを特徴とする請求項１記載のレーザー装置。
【請求項３】
前記表示機能は、
前記レーザー装置本体内のファイバーの繰り出し可能量が小となった状況をファイバーとの接触による変位で検知する検知レバーと、
前記検知レバーの変位を検出しファイバーの繰り出し可能量小を示す信号を出力するセンサと、
前記センサからの信号に基づき繰り出し可能量小の表示出力を行うファイバー量表示出力手段と、
を有する構成からなることを特徴とする請求項１記載のレーザー装置。
【請求項４】
前記表示機能は、
前記レーザー装置本体内のファイバーの繰り出し可能量が小となったとき、ファイバーとの接触で作動しファイバーの繰り出し可能量小を示す信号を出力するセンサと、
前記センサからの信号に基づき繰り出し可能量小の表示出力を行うファイバー量表示出力手段と、
を有する構成からなることを特徴とする請求項１記載のレーザー装置。
【請求項５】
前記表示機能は、繰り出し式のファイバー自体に繰り出し可能量小を示す表示部を設け、前記表示部が外部に表出したときファイバーの繰り出し可能量小であることを認識させる機能であることを特徴とする請求項１記載のレーザー装置。
【請求項６】
レーザー装置本体内にレーザー光の導光路とするファイバーを外部から遮蔽状態で収納するとともに、前記ファイバーをレーザー装置本体から繰り出し式としたレーザー装置であって、
レーザー装置本体内で、前記ファイバーを複数回巻回状態で支持しつつ繰り出し側のファイバーを下方に垂れ下げた状態として繰り出し口側に繰り出すファイバーガイド体と、
前記ファイバーガイド体から繰り出されるファイバーの通過領域に臨ませて配置され、垂れ下げ量の減少により上方に変位していくファイバーの一部との接触で検知信号を出力するセンサと、
前記検知信号を基にファイバーの繰り出し可能量小を意味する表示出力を行うファイバー量表示出力手段と、
を有し、
前記表示出力に基づき、前記ファイバーガイド体から一巻分のファイバーを外すことにより、前記センサとファイバーの一部との接触を解除するとともに、残存するファイバーを繰り出し可能とするようにしたこと、
を特徴とするレーザー装置。
【発明の詳細な説明】
【技術分野】
【０００１】
本発明は、レーザー装置に関し、詳しくは、レーザー装置本体内にレーザー光の導光路とするファイバーを外部から遮蔽状態で収納するとともに、前記ファイバーをレーザー装置本体から繰り出し式としたレーザー装置に関するものである。
【背景技術】
【０００２】
医療分野、例えば歯科医療の分野では、装置本体内に遮蔽状態で収容したレーザー光の導光路である長尺のファイバーを装置本体から繰り出し、ファイバーの先端部に接続したハンドピースからさらにファイバーを突出させて、このファイバーの先端部から患部に向けてレーザー光を照射して歯科施術を行うレーザー装置が用いられている。
【０００３】
このようなレーザー装置においては、ファイバーの先端部側が多数回の使用により消耗し、徐々に消耗して短くなっていく。
【０００４】
ファイバーが短くなった場合には、以降の使用に備えて装置本体から後続部分を繰り出すことが必要となる。
【０００５】
装置本体内には、ファイバーの消耗に備えて長尺のファイバーを巻回状態で収容し、一定長さ以下になったとき交換することになるが、装置本体内のファイバーは外部から遮断されて視認できないためその繰り出し可能量が判明せず、交換時期を認識できず歯科施術に支障を来す場合が生じる。
【０００６】
特許文献１には、他の技術分野ではあるが、外部から視認できないペイルパック内に巻回状態で溶接用ワイヤを収容し、ペイルパックの上部から溶接用ワイヤを繰り出す構成とした溶接用ワイヤの残量検出装置であって、ペイルパック内の巻回状態の溶接用ワイヤの上面に抑え板を配置し、この抑え板からペイルパックの壁部を貫くようにして上方に目盛付の棒体を突出させ、ペイルパックからの溶接用ワイヤの繰り出しに伴って抑え板とともに下降する棒体の目盛を外部から読み取ることでペイルパック内の溶接用ワイヤの残量を検出するようにした溶接用ワイヤの残量検出装置が開示されている。
【０００７】
しかし、医療分野、例えば歯科医療の分野で使用されるファイバー繰り出し式としたレーザー装置において、装置本体内に遮蔽状態で収容したファイバーの残量検知を行いファイバーの交換時期を術者が明確に把握できるような技術は見当たらないのが現状である。
【先行技術文献】
【特許文献】
【０００８】
【特許文献１】実公平３−３３７３１号公報
【発明の概要】
【発明が解決しようとする課題】
【０００９】
本発明が解決しようとする問題点は、ファイバー繰り出し式としたレーザー装置において、装置本体内に遮蔽状態で収容したファイバーの繰り出し可能量検知を行いファイバーの交換時期を術者が明確に把握できるようなレーザー装置が存在しない点である。
【課題を解決するための手段】
【００１０】
本発明は、レーザー装置本体内にレーザー光の導光路とするファイバーを外部から遮蔽状態で収納するとともに、前記ファイバーをレーザー装置本体から繰り出し式としたレーザー装置であって、前記ファイバーが繰り出し可能な状況であるか否かを認識させるためのファイバー検知用の表示機能を有することを最も主要な特徴とする。
【発明の効果】
【００１１】
請求項１記載の発明によれば、ファイバー繰り出し式の構成で、、装置本体内に遮蔽状態で収容したファイバーの繰り出し可能量検知を行いファイバーの交換時期を術者が明確に把握できるレーザー装置を提供することができる。
【００１２】
請求項２記載の発明によれば、表示窓から視認される赤色の着色表示によって、レーザー装置本体内のファイバーの繰り出し可能量が少なくなったことを直ちに認識でき、繰り出し可能量が少なくなった状態のままファイバーを引っ張ってレーザー装置の部品を壊してしまうような不都合な事態を回避することができるとともに、ファイバーを新たなものに交換し以降の施術に備える等の対策を速やかに行うことが可能なレーザー装置を提供することができる。
【００１３】
請求項３記載の発明によれば、回転レバーを介してセンサを動作させる構成の基に、ファイバー量表示出力手段の表示出力を視認することによって、レーザー装置本体内のファイバーの繰り出し可能量が少なくなったことを直ちに認識でき、繰り出し可能量が少なくなった状態のままファイバーを引っ張ってレーザー装置の部品を壊してしまうような不都合な事態を回避することができるとともに、ファイバーを新たなものに交換し以降の施術に備える等の対策を速やかに行うことが可能なレーザー装置を提供することができる。
【００１４】
請求項４記載の発明によれば、ファイバーの一部によって直接センサを動作させる構成の基に、ファイバー量表示出力手段の表示出力を視認することによって、レーザー装置本体内のファイバーの繰り出し可能量が少なくなったことを直ちに認識でき、繰り出し可能量が少なくなった状態のままファイバーを引っ張ってレーザー装置の部品を壊してしまうような不都合な事態を回避することができるとともに、ファイバーを新たなものに交換し以降の施術に備える等の対策を速やかに行うことが可能なレーザー装置を提供することができる。
【００１５】
請求項５記載の発明によれば、ファイバー自体に繰り出し可能量小を示す表示部を設け、前記表示部が外部に表出したときファイバーの繰り出し可能量小であることを認識させる構成の基に、繰り出し可能量が少なくなった状態のままファイバーを引っ張ってレーザー装置の部品を壊してしまうような不都合な事態を回避することができるとともに、ファイバーを新たなものに交換し以降の施術に備える等の対策を速やかに行うことが可能なレーザー装置を提供することができる。
【００１６】
請求項６記載の発明によれば、レーザー装置本体の収容領域に複数回巻回状態の長尺のファイバーを掛け回し状態で収容し、この状態で術者は一巻分のファイバー毎に繰り出し可能量小の状態を認識して、以降のファイバーを一巻分毎に順に繰り出し可能状態とすることができ、繰り出し可能量が少なくなった状態のままファイバーを引っ張ってレーザー装置の部品を壊してしまうような不都合な事態を回避することができるとともに、ファイバーを新たなものに交換し以降の施術に備える目安とすることもできるレーザー装置を提供することができる。
【図面の簡単な説明】
【００１７】
【図１】図１は本発明の実施例１に係るレーザー装置の外観を示す概略斜視図である。
【図２】図２は本実施例１に係るレーザー装置の側壁扉体を開いた状態の外観を示す概略斜視図である。
【図３】図３は本実施例１に係るレーザー装置におけるレーザーハンドピースを示す正面図である。
【図４】図４は本実施例１に係るレーザー装置におけるレーザー装置本体に配置したレーザー発信器、ファイバー、ファイバー繰り出し可能量検知ユニットを示す概略正面図である。
【図５】図５は本実施例１に係るレーザー装置におけるファイバー繰り出し可能量検知ユニットの概略斜視図である。
【図６】図６は本実施例１に係るレーザー装置におけるファイバー繰り出し可能量検知ユニットの図５に示す場合と異なる角度から見た概略斜視図である。
【図７】図７は本実施例１に係るレーザー装置におけるファイバー繰り出し可能量検知ユニットを構成する回転ドラム及び検知レバーを示す概略斜視図である。
【図８】図８は本実施例１に係るレーザー装置におけるファイバー繰り出し可能量検知ユニットによるファイバー繰り出し可能量検知動作を示す説明図である。
【図９】図９は本実施例１に係るレーザー装置におけるファイバー繰り出し可能量検知ユニットにおける回転ドラムの回転に伴う回転ドラムに付した着色表示の変化を示す説明図である。
【図１０】図１０は本発明の実施例２に係るファイバー繰り出し可能量検知ユニット及びファイバー量表示出力手段を示す概略構成図である。
【図１１】図１１は本発明の実施例３に係るファイバー繰り出し可能量検知ユニット及びファイバー量表示出力手段を示す概略構成図である。
【図１２】図１２は本発明の実施例４に係るファイバー自体に繰り出し可能量小を示す赤色の表示部を設けた構成を示す概略構成図である。
【図１３】図１３は本発明の実施例５に係るレーザー装置本体に配置したファイバー繰り出し可能量検知ユニットによるファイバーガイド体からの一巻毎のファイバー繰り出し量検知の動作の流れを示す説明図である。
【図１４】図１４は本発明の実施例５におけるファイバーガイド体に対するファイバーの複数回巻回状態を示す概略断面図である。
【発明を実施するための形態】
【００１８】
本発明は、ファイバー繰り出し式としたレーザー装置において、装置本体内に遮蔽状態で収容したファイバーの繰り出し可能量検知を行いファイバーの交換時期を術者が明確に把握できるレーザー装置を提供するという目的を、レーザー装置本体内にレーザー光の導光路とするファイバーを外部から遮蔽状態で収納するとともに、前記ファイバーをレーザー装置本体から繰り出し式としたレーザー装置であって、前記ファイバーが繰り出し可能な状況であるか否かを認識させるためのファイバー検知用の表示機能を有し、この表示機能を、レーザー装置本体の壁面部に着色表示視認用の表示窓を設け、この表示窓にレーザー装置本体内に設けたファイバーの繰り出し可能量大を示す着色表示と、繰り出し可能量小を示す着色表示とを外周に付した回転ドラムを臨ませ、レーザー装置本体内のファイバーの繰り出し可能量が小となったときにファイバーの一部との当接により回転変位する検知レバーにより前記回転ドラムを回転させて、前記表示窓に繰り出し可能量小を示す着色表示を表出させる構成としたことにより実現した。
【実施例】
【００１９】
以下に本発明の実施例に係るレーザー装置について図面を参照して詳細に説明する。
【００２０】
（実施例１）
本発明の実施例１に係るレーザー装置１について、図１乃至図７を参照して説明する。
【００２１】
本実施例１に係るレーザー装置１は、図１、図２及び図４に示すように、例えば直方体箱型状のレーザー装置本体２と、このレーザー装置本体２の側壁の一部に開閉可能に配置され内部の収容領域４を表出又は外部から遮断する側壁扉体３と、レーザー装置本体２の底部に配置したキャスター５と、レーザー装置本体２の上面部に配置した操作ユニット６と、を有している。
【００２２】
前記側壁扉体３には、詳細は後述する着色表示視認用の例えば四角形状の表示窓７を設けている。
【００２３】
また、前記レーザー装置本体２の収容領域４には、レーザー光を発信するレーザー発信器１１（例えば半導体レーザー発信器）１１と、このレーザー発信器１１に末端（終端）側を接続し複数回（例えば２回、３回等）巻回状態としたレーザー光の導光路である長尺のファイバー１２（外装材を含む）と、前記ファイバー１２が繰り出し可能な状況であるか否かを認識させるためのファイバー検知用の表示機能を構成するファイバー繰り出し可能量検知ユニット１３と、を収容している。
【００２４】
前記ファイバー１２は、その先端側がレーザー装置本体２に設けた繰り出し口８からこのレーザー装置本体２の外部に引き出され、同じくレーザー装置本体２に起立常態で設けたファイバ支持サポート９により例えば掛け止め形態で支持されている。
【００２５】
また、前記ファイバー１２の先端側は、図３に示すようにレーザーハンドピース１４に接続され、さらにこのレーザーハンドピース１４から先方にファイバー１２の芯材１２ａを突出させて、この芯材１２ａの先端部から患部に向けてレーザー光を照射して歯科施術を行うように構成している。
【００２６】
前記ファイバー１２は、レーザー装置本体２内においては、前記収容領域４を画する垂直壁部２ａに、例えば上下左右４箇所にわたって、かつ、間隔をおいて円形に配置した４個のフック１５に複数回掛け回した巻回状態としている。
【００２７】
そして、巻回状態のファイバー１２のうち繰り出し口８に近い側の部分は、図４に示すように、前記収容領域４内で下方に垂れ下げ状態としつつ繰り出し口８から繰り出されるようにしている。
次に、前記ファイバー繰り出し可能量検知ユニット１３について、図４乃至図７、及び、図８、図９を参照して詳述する。
【００２８】
前記ファイバー繰り出し可能量検知ユニット１３は、前記垂直壁部２ａに後端側の垂下片２１ａをねじ止めにて取り付け、平坦部２１ｂを垂直壁部２ａの先方側（前記側壁扉体３側）に突出させるメインブラケット２１と、このメインブラケット２１の平坦部２１ｂの下面に上片２２ａを添着し、垂直片２２ｂを下方に垂れ下げ、垂直片２２ｂの下端に設けた斜め片２２ｃを前記垂直壁部２ａ側に向かって斜め下方に突出するように配置するファイバー誘導ブラケット２２と、横断面がコの字状を呈するように形成され、上片２３ａを前記ファイバー誘導ブラケット２２の上片２２ａの下面に添着し、背面垂直片２３ｂを前記ファイバー誘導ブラケット２２の垂直片２２ｂと所定の間隔を隔てるように平行配置し、所定の間隔を有する両側片２３ｃ、２３ｃを前記垂直壁部２ａと直交する配置としたドラム支持ブラケット２３と、ドラム支持ブラケット２３の両側片２２ｃ、２２ｃ間に回転支持軸２４及び止具２５を用いて前記回転支持軸２４とともに回転可能に配置した回転ドラム２６と、回転ドラム２６の外周部に設けた前記ファイバー１２の繰り出し可能量大を示す例えば青色の着色表示２７ａ（図９にクロス斜線を付して示す）及び繰り出し可能量小を示す例えば赤色の着色表示２７ｂ（図９に黒色で示す）と、図７に示すように前記回転ドラム２６の長さ方向の中央部であって、前記着色表示２７ａ、２７ｂとは反対側の部分に設けた切欠部２８の領域において、基端側を前記回転支持軸２４に取り付け、突出端側を前記回転ドラム２６の外周よりさらに外方に突出させた検知レバー２９と、を具備している。
【００２９】
そして、前記ドラム支持ブラケット２３の両側片２３ｃ、２３ｃの下辺部２３ｄ、２３ｄを、前記ファイバー誘導ブラケット２２の斜め片２２ｃと対称形状の傾斜形状としている。
【００３０】
これにより、前記斜め片２２ｃと前記下辺部２３ｄ、２３ｄとの間に形成される略逆Ｖ状の空間領域と、前記ファイバー誘導ブラケット２２の垂直片２２ｂと、ドラム支持ブラケット２３の背面垂直片２３ｂとの間の間隔を有し、前記略逆Ｖ状の空間に連なる領域とを、前記ファイバー１２の誘導領域３０を形成している。
【００３１】
また、前記回転ドラム２６は、前記側壁扉体３を閉じた状態において、前記表示窓７のすぐ裏側に臨むように配置され、前記青色の着色表示２７ａ又は赤色の着色表示２７ｂを表示窓７の外側から視認し得るように構成している。
【００３２】
次に、図８、図9を参照して本実施例１に係るレーザー装置１における前記ファイバー繰り出し可能量検知ユニット１３による外部から遮断されたレーザー装置本体２内でのファイバー１２の繰り出し可能検知動作について説明する。
【００３３】
図４に示すようにレーザー装置本体２内におけるファイバー１２は、当初の状態では、前記ファイバー繰り出し可能量検知ユニット１３の下方に垂れ下がった状態となりつつ前記繰り出し口８からレーザーハンドピース１４側に繰り出されていく。このときのファイバー１２の位置を図８左欄に示す。
【００３４】
レーザーハンドピース１４による患部に対する治療の進行に伴い、ファイバー繰り出し可能量は徐々に減少し、ファイバー繰り出し可能量が少なくなると、レーザー装置本体２のファイバー１２の位置（ファイバー１２の一部の位置）は図４、図８中欄に示すように前記ファイバー繰り出し可能量検知ユニット１３の誘導領域３０により案内されつつ前記検知レバー２９に当接する。
【００３５】
ファイバー繰り出し可能量がさらに少なくなると、ファイバー１２の一部の位置がさらに上昇し、前記検知レバー２９がファイバー１２による上昇力を受けて、図８右欄に示すように回転し、このとき前記回転ドラム２６も検知レバー２９に連動して回転する。
【００３６】
尚、図８右欄に示す例では、前記検知レバー２９、回転ドラム２６が反時計方向に回転する場合を示している。
【００３７】
この結果、前記表示窓７の外部から視認されていた図９左欄に示すような回転ドラム２６の青色の着色表示２７ａが、回転ドラム２６の回転に対応して図９右欄に示すような赤色の着色表示２７ｂに切り換わる。
【００３８】
これにより、本実施例１に係るレーザー装置１において、前記レーザーハンドピース１４を使用している術者は、表示窓７から視認される赤色の着色表示２７ｂによって、レーザー装置本体２内のファイバー１２の繰り出し可能量が少なくなったことを直ちに認識でき、繰り出し可能量が少なくなった状態のままファイバー１２を引っ張ってレーザー装置１の部品を壊してしまうような不都合な事態を回避することができるとともに、ファイバー１２を新たなものに交換し以降の施術に備える等の対策を速やかに行うことが可能となる。
【００３９】
（実施例２）
次に、本発明の実施例２について図１０を参照して説明する。
【００４０】
本実施例２においては、前記ファイバー繰り出し可能量検知ユニット１３に替えて図１０に示すようなファイバー繰り出し可能量検知ユニット１３Ａを用いることが特徴である。
【００４１】
図１０に示すファイバー繰り出し可能量検知ユニット１３Ａにおいて、前記ファイバー繰り出し可能量検知ユニット１３の場合と同一の要素には同一の符号を付し、その詳細な説明は省略する。
【００４２】
本実施例２のファイバー繰り出し可能量検知ユニット１３Ａは、図１０に示すように、実施例１の前記ファイバー繰り出し可能量検知ユニット１３と近似した構成であるが、前記回転ドラム２６における青色の着色表示２７ａ、赤色の着色表示２７ｂを無くしたこと、前記メインブラケット２１にセンサの一種である例えばマイクロスイッチ３１を配置し、このマイクロスイッチ３１の検知片３２を前記誘導領域３０内の検知レバー２９の回転領域に臨ませたこと、マイクロスイッチ３１の検知片３２の前記検知レバー２９の接触によるオン動作に伴い繰り出し可能量小を意味する表示出力を行うファイバー量表示出力手段３３を設けたことが特徴であり、残余の構成は実施例１の場合と同様である。
【００４３】
本実施例２のファイバー繰り出し可能量検知ユニット１３Ａを採用した場合は、ファイバー量表示出力手段３３の表示出力を視認することによって、レーザー装置本体２内のファイバー１２の繰り出し可能量が少なくなったことを直ちに認識でき、繰り出し可能量が少なくなった状態のままファイバー１２を引っ張ってレーザー装置１の部品を壊してしまうような不都合な事態を回避することができるとともに、ファイバー１２を新たなものに交換し以降の施術に備える等の対策を速やかに行うことが可能となる。
【００４４】
（実施例３）
次に、本発明の実施例３について図１１を参照して説明する。
【００４５】
本実施例３においては、前記ファイバー繰り出し可能量検知ユニット１３に替えて図１１に示すようなファイバー繰り出し可能量検知ユニット１３Ｂを用いることが特徴である。
【００４６】
図１１に示すファイバー繰り出し可能量検知ユニット１３Ｂにおいて、前記ファイバー繰り出し可能量検知ユニット１３の場合と同一の要素には同一の符号を付し、その詳細な説明は省略する。
【００４７】
本実施例３のファイバー繰り出し可能量検知ユニット１３Ｂは、図１１に示すように、実施例２の前記ファイバー繰り出し可能量検知ユニット１３Ａと近似した構成であるが、前記回転ドラム２６を無くしたこと、前記メインブラケット２１にセンサの一種である例えばマイクロスイッチ３１を配置し、このマイクロスイッチ３１の検知片３２を前記誘導領域３０内に臨ませたこと、マイクロスイッチ３１の検知片３２の前記ファイバー１２との接触によるオン動作に伴い繰り出し可能量小を意味する表示出力を行うファイバー量表示出力手段３３を設けたことが特徴であり、残余の構成は実施例１の場合と同様である。
【００４８】
本実施例３のファイバー繰り出し可能量検知ユニット１３Ｂを採用した場合においても、ファイバー量表示出力手段３３の表示出力を視認することによって、レーザー装置本体２内のファイバー１２の繰り出し可能量が少なくなったことを直ちに認識でき、繰り出し可能量が少なくなった状態のままファイバー１２を引っ張ってレーザー装置１の部品を壊してしまうような不都合な事態を回避することができるとともに、ファイバー１２を新たなものに交換し以降の施術に備える等の対策を速やかに行うことが可能となる。
尚、実施例２、３において、前記マイクロスイッチ３１に替えて、発光部、受光部を組み合わせた光センサを採用することももちろん可能である。
【００４９】
（実施例４）
次に、本発明の実施例４について図１２を参照して説明する。
【００５０】
本実施例４においては、例えば前記レーザーハンドピース１４から先方に突出するファイバー１２の芯材１２ａ自体に繰り出し可能量小を示す例えば赤色の表示部４１を設け、この赤色の表示部４１が表出したとき、ファイバー１２が繰り出し可能量小であることを術者に認識させるようにしたものである。
【００５１】
本実施例４の場合においても、術者はレーザー装置本体２内のファイバー１２の繰り出し可能量が少なくなったことを直ちに認識でき、繰り出し可能量が少なくなった状態のままファイバー１２を引っ張ってレーザー装置１の部品を壊してしまうような不都合な事態を回避することができるとともに、ファイバー１２を新たなものに交換し以降の施術に備える等の対策を速やかに行うことが可能となる。
【００５２】
（実施例５）
次に、本発明の実施例５について図１３、図１４を参照して説明する。
【００５３】
本実施例５は、実施例１の場合と同様な構成であり、前記レーザー装置本体２の収容領域４には、例えばレーザー光を発信するレーザー発信器（例えば半導体レーザー発信器）１１と、このレーザー発信器１１に末端（終端）側を接続し複数回（例えば２回、３回等）巻回状態とした長尺のファイバー１２を収容している。
【００５４】
そして、前記垂直壁部２ａに設けた例えば上下左右４個構成で９０度間隔の円形配置としたフック１５からなるファイバーガイド体５１に、図１４に示すように、複数回巻回状態の長尺のファイバー１２を掛け回している。
【００５５】
そして、前記垂直壁部２ａに設けた例えば上下左右４個構成で９０度間隔の円形配置としたフック１５からなるファイバーガイド体５１に、図１４に示すように、複数回巻回状態の長尺のファイバー１２を掛け回している。
【００５６】
また、前記４個のフック１５のうち下のフック１５の下側に前記実施例３の場合と同様なマイクロスイッチ３１を備えたファイバー繰り出し可能量検知ユニット１３Ｂを配置し、さらに、前記実施例２の場合と同様なファイバー量表示出力手段３３を備えた構成としている。
【００５７】
そして、ファイバー繰り出し可能量が小となったときのファイバー量表示出力手段３３の表示出力を視認して、術者が前記ファイバーガイド体５１から一巻分のファイバー１２を外し垂れ下げ状態とすることにより、前記マイクロスイッチ３１とファイバー１２の一部との接触を解除されるとともに、後続する次の一巻き分のファイバー１２を繰り出し可能とするように構成している。
【００５８】
前記ファイバー繰り出し可能量検知ユニット１３Ｂに替えて実施例２のファイバー繰り出し可能量検知ユニット１３Ａを用いることも可能である。
【００５９】
本実施例５によれば、レーザー装置本体２の収容領域４に複数回巻回状態の長尺のファイバー１２を掛け回し状態で収容し、この状態で術者は一巻分のファイバー１２毎に繰り出し可能量小の状態を認識して、以降のファイバー１２を一巻分毎に順に繰り出し可能状態とすることができ、繰り出し可能量が少なくなった状態のままファイバー１２を引っ張ってレーザー装置１の部品を壊してしまうような不都合な事態を回避することができるとともに、ファイバー１２を新たなものに交換し以降の施術に備える目安とすることもできる。
【産業上の利用可能性】
【００６０】
本発明は、レーザー装置本体内にレーザー光を導光するファイバーを外部から遮蔽状態で収納し、このファイバーをレーザー装置本体から繰り出し式とした構成の半導体レーザー装置、炭酸ガスレーザー装置等、各種のレーザー装置に関して好適に適用可能である。
【符号の説明】
【００６１】
１      レーザー装置
２      レーザー装置本体
２ａ    垂直壁部
３      側壁扉体
４      収容領域
５      キャスター
６      操作ユニット
７      表示窓
８      繰り出し口
９      ファイバ支持サポート
１１    レーザー発信器
１２    ファイバー
１２ａ  芯材
１３    繰り出し可能量検知ユニット
１３Ａ  繰り出し可能量検知ユニット
１３Ｂ  繰り出し可能量検知ユニット
１４    レーザーハンドピース
１５    フック
２１    メインブラケット
２１ａ  垂下片
２１ｂ  平坦部
２２    ファイバー誘導ブラケット
２２ａ  上片
２２ｂ  垂直片
２２ｃ  側片
２３    ドラム支持ブラケット
２３ａ  上片
２３ｂ  背面垂直片
２３ｃ  側片
２３ｄ  下辺部
２４    回転支持軸
２５    止具
２６    回転ドラム
２７ａ  青色の着色表示
２７ｂ  赤色の着色表示
２８    切欠部
２９    検知レバー
３０    誘導領域
３１    マイクロスイッチ
３２    検知片
３３    ファイバー量表示出力手段
４１    表示部
５１    ファイバーガイド体
【図１】
2016083016.tif 000003
【図２】
2016083016.tif 000004
【図３】
2016083016.tif 000005
【図４】
2016083016.tif 000006
【図５】
2016083016.tif 000007
【図６】
2016083016.tif 000008
【図７】
2016083016.tif 000009
【図８】
2016083016.tif 000010
【図９】
2016083016.tif 000011
【図１０】
2016083016.tif 000012
【図１１】
2016083016.tif 000013
【図１２】
2016083016.tif 000014
【図１３】
2016083016.tif 000015
【図１４】
2016083016.tif 000016